(57)【特許請求の範囲】
【請求項１】
認証用の虹彩データを登録するとともに、その虹彩データを加工して加工後の虹彩データを登録する登録手段と、認証対象者の裸眼又は上記加工後の虹彩データが再生されているコンタクトレンズを装着している眼球を撮影して虹彩を検出する虹彩検出手段と、上記虹彩検出手段による虹彩検出時の生体反応を検出する生体反応検出手段と、上記生体反応検出手段により生体反応が検出された場合、上記登録手段に登録されている認証用の虹彩データと上記虹彩検出手段の検出結果を照合し、上記生体反応検出手段により生体反応が検出されなかった場合、上記登録手段に登録されている加工後の虹彩データと上記虹彩検出手段の検出結果を照合する照合手段とを備えた個人認証装置。
【請求項２】
認証用の虹彩データを登録するとともに、その虹彩データの加工データを登録する登録手段と、認証対象者の裸眼又は上記認証用の虹彩データが上記加工データによって加工された加工後の虹彩データが再生されているコンタクトレンズを装着している眼球を撮影して虹彩を検出する虹彩検出手段と、上記虹彩検出手段による虹彩検出時の生体反応を検出する生体反応検出手段と、上記生体反応検出手段により生体反応が検出された場合、上記登録手段に登録されている虹彩データと上記虹彩検出手段の検出結果を照合し、上記生体反応検出手段により生体反応が検出されなかった場合、上記登録手段に登録されている虹彩データと加工データを合成し、その合成結果と上記虹彩検出手段の検出結果を照合する照合手段とを備えた個人認証装置。
【請求項３】
照合手段は、複数の加工データが登録されている場合、合成対象の加工データの選択を受け付けることを特徴とする請求項２記載の個人認証装置。
【請求項４】
照合手段は、虹彩データに対する加工データの合成方向の指定を受け付けることを特徴とする請求項２または請求項３記載の個人認証装置。
【請求項５】
照合手段は、合成方向が指定された場合に限り、照合処理を実施することを特徴とする請求項４記載の個人認証装置。
【請求項６】
虹彩検出手段により検出される虹彩が人体の一部であることを特徴とする請求項１から請求項５のうちのいずれか１項記載の個人認証装置。
【請求項７】
認証用の虹彩データを登録するとともに、その虹彩データを加工して加工後の虹彩データを登録する一方、認証対象者の裸眼又は上記加工後の虹彩データが再生されているコンタクトレンズを装着している眼球を撮影して虹彩を検出し、虹彩検出時の生体反応が存在する場合には、その認証用の虹彩データと虹彩の検出結果を照合し、虹彩検出時の生体反応が存在しない場合には、その加工後の虹彩データと虹彩の検出結果を照合する個人認証方法。
【請求項８】
認証用の虹彩データを登録するとともに、その虹彩データの加工データを登録する一方、認証対象者の裸眼又は上記認証用の虹彩データが上記加工データによって加工された加工後の虹彩データが再生されているコンタクトレンズを装着している眼球を撮影して虹彩を検出し、虹彩検出時の生体反応が存在する場合には、その虹彩データと虹彩の検出結果を照合し、虹彩検出時の生体反応が存在しない場合には、その虹彩データと加工データを合成し、その合成結果と虹彩の検出結果を照合する個人認証方法。
【請求項９】
複数の加工データが登録されている場合、合成対象の加工データの選択を受け付けることを特徴とする請求項８記載の個人認証方法。
【請求項１０】
虹彩データに対する加工データの合成方向の指定を受け付けることを特徴とする請求項８または請求項９記載の個人認証方法。
【請求項１１】
合成方向が指定された場合に限り、照合処理を実施することを特徴とする請求項１０記載の個人認証方法。
【請求項１２】
虹彩が人体の一部であることを特徴とする請求項７から請求項１１のうちのいずれか１項記載の個人認証方法。
【発明の詳細な説明】
【０００１】
【発明の属する技術分野】
この発明は、虹彩を照合して個人認証を行う個人認証装置及び個人認証方法に関するものである。
【０００２】
【従来の技術】
従来の個人認証装置は、予め、認証用の虹彩データを登録し、その虹彩データと虹彩検出器による虹彩の検出結果を照合するものが一般的である。
しかし、虹彩の検出結果を不正にコピーして不正な照合結果を得る詐称行為を防止するため、虹彩検出時に生体反応を検出することができる場合に限り、虹彩の検出結果を有効にする技術が特開２００１−３４７５４公報に開示されている。
【０００３】
【発明が解決しようとする課題】
従来の個人認証装置は以上のように構成されているので、不正な照合結果を得る詐称行為を防止することができるが、認証対象者が虹彩データを登録した後に、何らかの原因で認証対象となる虹彩を損傷したり、虹彩を損失した場合には、以後、認証対象者が個人認証を取得することができなくなる課題があった。
また、複数の認証対象者の虹彩が極めて類似している場合、複数の認証対象者を識別することができない課題があった。
【０００４】
この発明は上記のような課題を解決するためになされたもので、認証対象者が虹彩データを登録した後に、認証対象となる虹彩を損傷等しても、認証対象者が個人認証を取得することができる個人認証装置及び個人認証方法を得ることを目的とする。
また、この発明は、複数の認証対象者の虹彩が極めて類似している場合でも、複数の認証対象者を識別することができる個人認証装置及び個人認証方法を得ることを目的とする。
【０００５】
【課題を解決するための手段】
この発明に係る個人認証装置は、虹彩検出手段が認証対象者の裸眼又は加工後の虹彩データが再生されているコンタクトレンズを装着している眼球を撮影して虹彩を検出し、生体反応検出手段により生体反応が検出された場合、登録手段に登録されている認証用の虹彩データと虹彩検出手段の検出結果を照合し、生体反応検出手段により生体反応が検出されなかった場合、登録手段に登録されている加工後の虹彩データと虹彩検出手段の検出結果を照合するようにしたものである。
【０００６】
この発明に係る個人認証装置は、虹彩検出手段が認証対象者の裸眼又は認証用の虹彩データが加工データによって加工された加工後の虹彩データが再生されているコンタクトレンズを装着している眼球を撮影して虹彩を検出し、生体反応検出手段により生体反応が検出された場合、登録手段に登録されている虹彩データと虹彩検出手段の検出結果を照合し、生体反応検出手段により生体反応が検出されなかった場合、登録手段に登録されている虹彩データと加工データを合成し、その合成結果と虹彩検出手段の検出結果を照合するようにしたものである。
【０００７】
この発明に係る個人認証装置は、複数の加工データが登録されている場合、照合手段が合成対象の加工データの選択を受け付けるようにしたものである。
【０００８】
この発明に係る個人認証装置は、照合手段が虹彩データに対する加工データの合成方向の指定を受け付けるようにしたものである。
【０００９】
この発明に係る個人認証装置は、合成方向が指定された場合に限り、照合手段が照合処理を実施するようにしたものである。
【００１０】
この発明に係る個人認証装置は、虹彩検出手段により検出される虹彩が人体の一部であるようにしたものである。
【００１１】
この発明に係る個人認証方法は、認証対象者の裸眼又は加工後の虹彩データが再生されているコンタクトレンズを装着している眼球を撮影して虹彩を検出し、虹彩検出時の生体反応が存在する場合には、認証用の虹彩データと虹彩の検出結果を照合し、虹彩検出時の生体反応が存在しない場合には、加工後の虹彩データと虹彩の検出結果を照合するようにしたものである。
【００１２】
この発明に係る個人認証方法は、認証対象者の裸眼又は認証用の虹彩データが加工データによって加工された加工後の虹彩データが再生されているコンタクトレンズを装着している眼球を撮影して虹彩を検出し、虹彩検出時の生体反応が存在する場合には、虹彩データと虹彩の検出結果を照合し、虹彩検出時の生体反応が存在しない場合には、その虹彩データと加工データを合成し、その合成結果と虹彩の検出結果を照合するようにしたものである。
【００１３】
この発明に係る個人認証方法は、複数の加工データが登録されている場合、合成対象の加工データの選択を受け付けるようにしたものである。
【００１４】
この発明に係る個人認証方法は、虹彩データに対する加工データの合成方向の指定を受け付けるようにしたものである。
【００１５】
この発明に係る個人認証方法は、合成方向が指定された場合に限り、照合処理を実施するようにしたものである。
【００１６】
この発明に係る個人認証方法は、虹彩が人体の一部であるようにしたものである。
【００１７】
【発明の実施の形態】
以下、この発明の実施の一形態を説明する。
実施の形態１．
図１はこの発明の実施の形態１による個人認証装置を示す構成図であり、図において、１は虹彩を検出する虹彩検出部（虹彩検出手段）、２は虹彩検出部１の検出結果を認証用の虹彩データとして虹彩データベース３に登録する虹彩データ登録部、３は認証用の虹彩データを格納する虹彩データベース、４は認証用の虹彩データを加工して加工後の虹彩データを加工虹彩データベース５に登録する虹彩データ加工部、５は加工後の虹彩データを格納する加工虹彩データベースである。
なお、虹彩データ登録部２，虹彩データベース３，虹彩データ加工部４及び加工虹彩データベース５から登録手段が構成されている。
【００１８】
７は虹彩検出部１による虹彩検出時の生体反応を検出する生体反応検出部（生体反応検出手段）、８は生体反応検出部７により生体反応が検出された場合、虹彩データベース３に登録されている認証用の虹彩データをデータ照合部９に提供し、生体反応検出部７により生体反応が検出されなかった場合、加工虹彩データベース５に登録されている加工後の虹彩データをデータ照合部９に提供するデータ選択部、９はデータ選択部８から提供された認証用の虹彩データ又は加工後の虹彩データと虹彩検出部１から出力された虹彩データを照合するデータ照合部である。
なお、データ選択部８及びデータ照合部９から照合手段が構成されている。
図３はこの発明の実施の形態１による個人認証方法を示すフローチャートである。
【００１９】
次に動作について説明する。
最初に、虹彩データの登録時の動作を説明する。
まず、虹彩検出部１が認証対象者の眼球を撮像するなどの方法により、認証対象者の虹彩を検出し、その検出結果を虹彩データ登録部２に出力する（ステップＳＴ１）。
【００２０】
虹彩データ登録部２は、虹彩検出部１の検出結果を受けると、その検出結果を認証用の虹彩データとして虹彩データベース３に登録する（ステップＳＴ２）。また、虹彩データ加工部４は、虹彩検出部１の検出結果を受けると、例えば、図２に示すような認証対象者の虹彩に対してランダムな傷を二次的に加えることにより、オリジナルの虹彩とは異なる虹彩を生成し、加工後の虹彩データを加工虹彩データベース５に登録する（ステップＳＴ３）。
【００２１】
次に、虹彩データの照合時の動作を説明する。
まず、虹彩検出部１が認証対象者の眼球を撮像するなどの方法により、認証対象者の虹彩を検出し、その検出結果をデータ照合部９に出力する（ステップＳＴ４）。ただし、認証対象者が虹彩データを登録した後に、何らかの原因で認証対象となる虹彩を損傷したり、虹彩を損失した場合には、認証対象者が裸眼で虹彩の検出処理を行うのではなく、加工虹彩データベース５に登録されている加工後の虹彩データを再生したコンタクトレンズを装着して、虹彩の検出処理を行う。なお、加工後の虹彩データを再生したコンタクトレンズを装着するものであるので、詐称目的でオリジナルの虹彩データをコンタクトレンズに再生しても、個人認証を取得することができない。
【００２２】
また、生体反応検出部７は、虹彩検出部１による虹彩検出時の生体反応を検出する（ステップＳＴ５）。
データ選択部８は、生体反応検出部７により生体反応が検出された場合、虹彩データベース３に登録されている認証用の虹彩データをデータ照合部９に提供し（ステップＳＴ６，ＳＴ７）、生体反応検出部７により生体反応が検出されなかった場合、加工虹彩データベース５に登録されている加工後の虹彩データをデータ照合部９に提供する（ステップＳＴ６，ＳＴ８）。
【００２３】
データ照合部９は、データ選択部８から認証用の虹彩データ又は加工後の虹彩データを受けると、何れかの虹彩データと虹彩検出部１から出力された虹彩データを照合して、個人認証を行う（ステップＳＴ９）。
【００２４】
以上で明らかなように、この実施の形態１によれば、生体反応検出部７により生体反応が検出された場合、虹彩データベース３に登録されている認証用の虹彩データと虹彩検出部１の検出結果を照合し、生体反応検出部７により生体反応が検出されなかった場合、加工虹彩データベース５に登録されている加工後の虹彩データと虹彩検出部１の検出結果を照合するように構成したので、認証対象者が虹彩データを登録した後に、認証対象となる虹彩を損傷等しても、認証対象者が個人認証を取得することができる効果を奏する。
また、この実施の形態１によれば、複数の認証対象者の虹彩が極めて類似している場合、各認証対象者の虹彩データにユニークな加工データを加えて加工すれば、複数の認証対象者を識別することができるようになる。
【００２５】
なお、この実施の形態１では、虹彩データ登録部２やデータ照合部９等の全てを同一の装置内に備えたものについて示したが、これに限るものではなく、例えば、虹彩検出部１，虹彩データ登録部２，虹彩データベース３，虹彩データ加工部４及び加工虹彩データベース５を備えたサーバと、虹彩検出部１，生体反応検出部７，データ選択部８及びデータ照合部９を備えた端末とから個人認証装置を構成するようにしてもよい。
この場合には、上記サーバが図３のステップＳＴ１〜ＳＴ３の処理を実行し、上記端末がステップＳＴ４〜ＳＴ９の処理を実行する。
【００２６】
実施の形態２．
図４はこの発明の実施の形態２による個人認証装置を示す構成図であり、図において、図１と同一符号は同一または相当部分を示すので説明を省略する。
１０は複数の加工データを登録する加工データベース（登録手段）、１１は加工データベース１０に登録されている加工データのうち、合成対象の加工データを選択する加工データ選択部、１２は生体反応検出部７により生体反応が検出された場合、虹彩データベース３に登録されている認証用の虹彩データをデータ照合部９に提供し、生体反応検出部７により生体反応が検出されなかった場合、虹彩データベース３に登録されている虹彩データと加工データ選択部１１により選択された加工データを合成し、その合成結果をデータ照合部９に提供するデータ生成部である。なお、加工データ選択部１１及びデータ生成部１２は照合手段を構成している。
【００２７】
次に動作について説明する。
上記実施の形態１では、生体反応検出部７により生体反応が検出されなかった場合、データ選択部８が加工虹彩データベース５に登録されている加工後の虹彩データをデータ照合部９に提供するものについて示したが、生体反応検出部７により生体反応が検出されなかった場合、データ生成部１２が虹彩データベース３に登録されている虹彩データと加工データ選択部１１により選択された加工データを合成し、その合成結果をデータ照合部９に提供するようにしてもよい。
【００２８】
これにより、上記実施の形態１と同様の効果を奏することができるとともに、万一加工データが漏洩しても、単に合成対象の加工データを切り替るだけで、詐称行為を防止することができる効果を奏する。
また、加工後の虹彩データが再生されたコンタクトレンズが損傷等しても、加工データを切り替るだけで、コンタクトレンズの損傷等に対応することができる効果を奏する。
【００２９】
実施の形態３．
上記実施の形態２では、特に言及していないが、加工データ選択部１１が虹彩データに対する加工データの合成方向の指定を受け付けるようにしてもよい。
例えば、コンタクトレンズの装着方向と合致する加工データの合成方向の指定を受け付けるようにすれば、認証対象者の便宜性を高めることができる。また、個人認証の安全性を高める見地から、コンタクトレンズの装着方向を条件設定することができる。
また、合成方向が指定された場合に限り、データ照合部９が照合処理を実施するようにしてもよい。
これにより、個人認証の安全性を高めることができる効果を奏する。
【００３０】
【発明の効果】
以上のように、この発明によれば、虹彩検出手段が認証対象者の裸眼又は加工後の虹彩データが再生されているコンタクトレンズを装着している眼球を撮影して虹彩を検出し、生体反応検出手段により生体反応が検出された場合、登録手段に登録されている認証用の虹彩データと虹彩検出手段の検出結果を照合し、生体反応検出手段により生体反応が検出されなかった場合、登録手段に登録されている加工後の虹彩データと虹彩検出手段の検出結果を照合するように構成したので、認証対象者が虹彩データを登録した後に、認証対象となる虹彩を損傷等しても、認証対象者が個人認証を取得することができる効果がある。また、複数の認証対象者の虹彩が極めて類似している場合でも、複数の認証対象者を識別することができる効果がある。
【００３１】
この発明によれば、虹彩検出手段が認証対象者の裸眼又は認証用の虹彩データが加工データによって加工された加工後の虹彩データが再生されているコンタクトレンズを装着している眼球を撮影して虹彩を検出し、生体反応検出手段により生体反応が検出された場合、登録手段に登録されている虹彩データと虹彩検出手段の検出結果を照合し、生体反応検出手段により生体反応が検出されなかった場合、登録手段に登録されている虹彩データと加工データを合成し、その合成結果と虹彩検出手段の検出結果を照合するように構成したので、認証対象者が虹彩データを登録した後に、認証対象となる虹彩を損傷等しても、認証対象者が個人認証を取得することができる効果がある。また、複数の認証対象者の虹彩が極めて類似している場合でも、複数の認証対象者を識別することができる効果がある。
【００３２】
この発明によれば、複数の加工データが登録されている場合、照合手段が合成対象の加工データの選択を受け付けるように構成したので、万一加工データが漏洩しても、単に合成対象の加工データを切り替るだけで、詐称行為を防止することができる効果がある。また、加工後の虹彩データが再生されたコンタクトレンズが損傷等しても、加工データを切り替るだけで、コンタクトレンズの損傷等に対応することができる効果がある。
【００３３】
この発明によれば、照合手段が虹彩データに対する加工データの合成方向の指定を受け付けるように構成したので、認証対象者の便宜性を高めることができる効果がある。
【００３４】
この発明によれば、合成方向が指定された場合に限り、照合手段が照合処理を実施するように構成したので、個人認証の安全性を高めることができる効果がある。
【００３５】
この発明によれば、虹彩検出手段により検出される虹彩が人体の一部であるように構成したので、個人を認証することができる効果がある。
【００３６】
この発明によれば、認証対象者の裸眼又は加工後の虹彩データが再生されているコンタクトレンズを装着している眼球を撮影して虹彩を検出し、虹彩検出時の生体反応が存在する場合には、認証用の虹彩データと虹彩の検出結果を照合し、虹彩検出時の生体反応が存在しない場合には、加工後の虹彩データと虹彩の検出結果を照合するように構成したので、認証対象者が虹彩データを登録した後に、認証対象となる虹彩を損傷等しても、認証対象者が個人認証を取得することができる効果がある。また、複数の認証対象者の虹彩が極めて類似している場合でも、複数の認証対象者を識別することができる効果がある。
【００３７】
この発明によれば、認証対象者の裸眼又は認証用の虹彩データが加工データによって加工された加工後の虹彩データが再生されているコンタクトレンズを装着している眼球を撮影して虹彩を検出し、虹彩検出時の生体反応が存在する場合には、虹彩データと虹彩の検出結果を照合し、虹彩検出時の生体反応が存在しない場合には、その虹彩データと加工データを合成し、その合成結果と虹彩の検出結果を照合するように構成したので、認証対象者が虹彩データを登録した後に、認証対象となる虹彩を損傷等しても、認証対象者が個人認証を取得することができる効果がある。また、複数の認証対象者の虹彩が極めて類似している場合でも、複数の認証対象者を識別することができる効果がある。
【００３８】
この発明によれば、複数の加工データが登録されている場合、合成対象の加工データの選択を受け付けるように構成したので、万一加工データが漏洩しても、単に合成対象の加工データを切り替るだけで、詐称行為を防止することができる効果がある。また、加工後の虹彩データが再生されたコンタクトレンズが損傷等しても、加工データを切り替るだけで、コンタクトレンズの損傷等に対応することができる効果がある。
【００３９】
この発明によれば、虹彩データに対する加工データの合成方向の指定を受け付けるように構成したので、認証対象者の便宜性を高めることができる効果がある。
【００４０】
この発明によれば、合成方向が指定された場合に限り、照合処理を実施するように構成したので、個人認証の安全性を高めることができる効果がある。
【００４１】
この発明によれば、虹彩が人体の一部であるように構成したので、個人を認証することができる効果がある。
【図面の簡単な説明】
【図１】  この発明の実施の形態１による個人認証装置を示す構成図である。
【図２】  認証対象者の虹彩を示す説明図である。
【図３】  この発明の実施の形態１による個人認証方法を示すフローチャートである。
【図４】  この発明の実施の形態２による個人認証装置を示す構成図である。
【符号の説明】
１  虹彩検出部（虹彩検出手段）、２  虹彩データ登録部（登録手段）、３  虹彩データベース（登録手段）、４  虹彩データ加工部（登録手段）、５  加工虹彩データベース（登録手段）、７  生体反応検出部（生体反応検出手段）、８データ選択部（照合手段）、９  データ照合部（照合手段）、１０  加工データベース（登録手段）、１１  加工データ選択部（照合手段）、１２  データ生成部（照合手段）。
【図１】
0003904903.tif 000002
【図２】
0003904903.tif 000003
【図３】
0003904903.tif 000004
【図４】
0003904903.tif 000005